(57)【要約】【課題】地上波放送の受信装置において、選択チャンネルの受信状態が悪化した場合に、同番組を放送する他チャンネルを探すユーザの手間を省く地上波放送の送受信方法を提供することを目的とする。【解決手段】地上波放送の送信装置１０１において、自チャンネルで放送中の番組と同じ番組を放送する隣接地域のチャンネル情報を生成し、映像や音声等の番組データに前記チャンネル情報を加えて放送し、地上波放送の受信装置１０２において、選択チャンネルの受信状態を監視して、基準値を満足しなくなった時点で、上記チャンネル情報に記されたチャンネルの受信状態も調査し、受信状態の良好なチャンネルに選局し直す。【選択図】図１
2005204121.tif 000002
【特許請求の範囲】
【請求項１】
デジタル放送を送信する地上波放送の送受信システムであって、
放送中の番組と同じ番組を放送する隣接地域のチャンネル情報を生成する隣接地域同番組チャンネル情報生成手段と、
放送する映像や音声等の番組データに前記チャンネル情報を加えたデジタル放送ストリームを生成し、RF信号化して出力するデジタル放送送信手段と、
を備えたデジタル放送送信装置と、
RF信号に含まれる複数チャンネルから任意のチャンネルを選択してデジタル放送ストリームを得るフロントエンド手段と、
前記デジタル放送ストリームから現在視聴中の番組と同じ番組を放送する隣接地域のチャンネル情報を抽出する隣接地域同番組チャンネル情報抽出手段と、
前記フロントエンド手段から該時点で受信選択中のチャンネルの受信状態情報を獲得する受信状態検出手段と、
前記受信状態検出手段が獲得する受信状態情報と前記隣接地域同番組チャンネル情報抽出手段が抽出する前記チャンネル情報を用いて前記フロントエンド手段が受信するチャンネルの選局制御を行うチャンネル制御手段とを有し、
前記チャンネル制御手段が、内部生成及び／又は外部入力される信号をトリガに、前記チャンネル情報を用いて、同番組の受信を継続するための制御を行うデジタル放送受信装置と、
を備えたことを特徴とするデジタル放送の送受信システム。
【請求項２】
放送中の番組と同じ番組を放送する隣接地域のチャンネル情報を生成する隣接地域同番組チャンネル情報生成手段と、
放送する映像や音声等の番組データに前記チャンネル情報を加えたデジタル放送ストリームを生成し、RF信号化して出力するデジタル放送送信手段と、
を備えたことを特徴とするデジタル放送送信装置。
【請求項３】
RF信号に含まれる複数チャンネルから任意のチャンネルを選択してデジタル放送ストリームを得るフロントエンド手段と、
前記デジタル放送ストリームから現在視聴中の番組と同じ番組を放送する隣接地域のチャンネル情報を抽出する隣接地域同番組チャンネル情報抽出手段と、
前記フロントエンド手段から該時点で受信選択中のチャンネルの受信状態情報を獲得する受信状態検出手段と、
前記受信状態検出手段が獲得する受信状態情報と前記隣接地域同番組チャンネル情報抽出手段が抽出する前記チャンネル情報を用いて前記フロントエンド手段が受信するチャンネルの選局制御を行うチャンネル制御手段とを有し、
前記チャンネル制御手段が、内部生成及び／又は外部入力される信号をトリガに、前記チャンネル情報を用いて、同番組の受信を継続するための制御を行う事を特徴とするデジタル放送受信装置。
【請求項４】
前記チャンネル制御手段が、チャンネル情報に記された全ての他チャンネルについて、前記フロントエンド手段に対して選局を行った上で前記受信状態検出手段から受信状態情報を獲得し、トリガ発生時点で受信していたチャンネル（以下、現チャンネルと呼ぶ）を含む最も受信状態の良いチャンネルを選局することを特徴とする請求項３に記載のデジタル放送受信装置。
【請求項５】
前記チャンネル制御手段が、チャンネル情報に記された全ての他チャンネルについて、前記フロントエンド手段に対して選局を行った上で前記受信状態検出手段から受信状態情報を獲得し、最も受信状態の良いチャンネルと現チャンネルの受信状態の差が所定値以上の場合のみ、最も受信状態の良いチャンネルを選局し、所定値未満の場合は、現チャンネルの選局に留めることを特徴とする請求項３に記載のデジタル放送受信装置。
【請求項６】
前記チャンネル制御手段が、チャンネル情報に記された全ての他チャンネルについて、前記フロントエンド手段に対して選局を行った上で前記受信状態検出手段から受信状態情報を獲得し、現チャンネルの情報も含めて、得た結果をユーザに表示し、ユーザにチャンネル選択させることを特徴とする請求項３記載のデジタル放送受信装置。
【請求項７】
前記チャンネル制御手段が、少なくともユーザの要望をトリガにして同番組の受信を継続するための制御を行うことを特徴とする請求項４〜６のいずれかに記載のデジタル放送受信装置。
【請求項８】
前記チャンネル制御手段が、少なくとも選択中のチャンネルが基準値を満足しなくなった状態を検知した事をトリガにして、同番組の受信を継続するための制御を行うことを特徴とする請求項４〜６のいずれかに記載のデジタル放送受信装置。
【請求項９】
前記チャンネル制御手段が、選択中のチャンネルが基準値を満足しなくなった状態を検知した事をトリガにしてチャンネルを選局した直後の一定期間は前記受信状態検出手段が獲得する受信状態を使用しないようにすることを特徴とする請求項８記載のデジタル放送受信装置。
【請求項１０】
前記チャンネル制御手段が、該時点でユーザが視聴中なのか非視聴中なのかを判別し、使用するトリガや同番組の受信を継続するためのチャンネル選択の方法を切り替えることを特徴とする請求項３記載のデジタル放送受信装置。
【請求項１１】
前記隣接地域同番組チャンネル情報生成手段が、或る番組が終了して次の番組が始まるまでの間、次の番組に対する隣接地域のチャンネル情報を生成する事を特徴とする請求項２記載のデジタル放送送信装置。
【請求項１２】
デジタル放送を送信する地上波放送の送受信方法であって、
デジタル放送の送信工程は、
放送中の番組と同じ番組を放送する隣接地域のチャンネル情報を生成する隣接地域同番組チャンネル情報生成工程と、
放送する映像や音声等の番組データに前記チャンネル情報を加えたデジタル放送ストリームを生成し、RF信号化して出力するデジタル放送送信工程と、
を備え、
デジタル放送の受信工程は、
RF信号に含まれる複数チャンネルから任意のチャンネルを選択してデジタル放送ストリームを得るフロントエンド工程と、
前記デジタル放送ストリームから現在視聴中の番組と同じ番組を放送する隣接地域のチャンネル情報を抽出する隣接地域同番組チャンネル情報抽出工程と、
前記フロントエンド工程から該時点で受信選択中のチャンネルの受信状態情報を獲得する受信状態検出工程と、
前記受信状態検出工程が獲得する受信状態情報と前記隣接地域同番組チャンネル情報抽出工程が抽出する前記チャンネル情報を用いて前記フロントエンド工程が受信するチャンネルの選局制御を行うチャンネル制御工程とを有し、
前記チャンネル制御工程が、内部生成及び／又は外部入力される信号をトリガに、前記チャンネル情報を用いて、同番組の受信を継続するための制御を行う
ことを特徴とするデジタル放送の送受信方法。
【請求項１３】
デジタル放送を送信する送信方法であって、
放送中の番組と同じ番組を放送する隣接地域のチャンネル情報を生成する工程と、
放送する映像や音声等の番組データに前記隣接地域のチャンネル情報を加えたデジタル放送ストリームを生成し、RF信号化して出力する工程と、
を備えたデジタル放送の送信方法。
【請求項１４】
デジタル放送を受信する受信方法であって、
RF信号に含まれる複数チャンネルから任意のチャンネルを選択してデジタル放送ストリームを得るフロントエンド工程と、
前記デジタル放送ストリームから現在視聴中の番組と同じ番組を放送する隣接地域のチャンネル情報を抽出する隣接地域同番組チャンネル情報抽出工程と、
前記フロントエンド工程から該時点で受信選択中のチャンネルの受信状態情報を獲得する受信状態検出工程と、
前記受信状態検出工程で獲得する受信状態情報と前記隣接地域同番組チャンネル情報抽出工程で抽出する前記チャンネル情報を用いて前記フロントエンド工程が受信するチャンネルの選局制御を行うチャンネル制御工程とを有し、
前記チャンネル制御工程が、内部生成及び／又は外部入力される信号をトリガに、前記チャンネル情報を用いて、同番組の受信を継続するための制御を行う事を特徴とするデジタル放送受信方法。
【請求項１５】
前記チャンネル制御工程は、チャンネル情報に記された全ての他チャンネルについて、前記フロントエンド工程に対して選局を行った上で前記受信状態検出工程から受信状態情報を獲得し、トリガ発生時点で受信していたチャンネル（以下、現チャンネルと呼ぶ）を含む最も受信状態の良いチャンネルを選局することを特徴とする請求項１４に記載のデジタル放送受信方法。
【請求項１６】
前記チャンネル制御工程は、チャンネル情報に記された全ての他チャンネルについて、前記フロントエンド工程に対して選局を行った上で前記受信状態検出工程から受信状態情報を獲得し、最も受信状態の良いチャンネルと現チャンネルの受信状態の差が所定値以上の場合のみ、最も受信状態の良いチャンネルを選局し、所定値未満の場合は、現チャンネルの選局に留めることを特徴とする請求項１４に記載のデジタル放送受信方法。
【請求項１７】
前記チャンネル制御工程は、チャンネル情報に記された全ての他チャンネルについて、前記フロントエンド工程に対して選局を行った上で前記受信状態検出工程から受信状態情報を獲得し、現チャンネルの情報も含めて、得た結果をユーザに表示し、ユーザにチャンネル選択させることを特徴とする請求項１４に記載のデジタル放送受信方法。
【請求項１８】
前記チャンネル制御工程は、少なくともユーザの要望をトリガにして同番組の受信を継続するための制御を行うことを特徴とする請求項１５〜１７のいずれかに記載のデジタル放送受信方法。
【請求項１９】
前記チャンネル制御工程は、少なくとも選択中のチャンネルが基準値を満足しなくなった状態を検知した事をトリガにして、同番組の受信を継続するための制御を行うことを特徴とする請求項１５〜１７のいずれかに記載のデジタル放送受信方法。
【請求項２０】
前記チャンネル制御工程は、選択中のチャンネルが基準値を満足しなくなった状態を検知した事をトリガにしてチャンネルを選局した直後の一定期間は前記受信状態検出工程が獲得する受信状態を使用しないようにすることを特徴とする請求項１９に記載のデジタル放送受信方法。
【請求項２１】
前記チャンネル制御工程は、該時点でユーザが視聴中なのか非視聴中なのかを判別し、使用するトリガや同番組の受信を継続するためのチャンネル選択の方法を切り替えることを特徴とする請求項１４に記載のデジタル放送受信方法。
【請求項２２】
前記隣接地域同番組チャンネル情報生成工程は、或る番組が終了して次の番組が始まるまでの間、次の番組に対する隣接地域のチャンネル情報を生成する事を特徴とする請求項１３記載のデジタル放送送信方法。
【発明の詳細な説明】
【技術分野】
【０００１】
本発明は、デジタル放送を送受信する地上波放送の送信装置、受信装置および送受信システムに関する。
【背景技術】
【０００２】
地上波アナログ放送は、隣接地域との混信による妨害を受けないために、地域によってチャンネルプランが異なっている。これは、デジタル放送になっても基本的には同じである。
【０００３】
日本や欧州等の地上波デジタル放送ではマルチパス妨害に強い直交周波数分割多重(Orthogonal Frequency Division Multiplexing:以下、OFDM)方式を採用しており、SFN（Single Frequency Network:単一周波数ネットワーク）受信が可能であるが、地上波放送は地域性を重要視し、地方局により独自の放送を行ったり、地方性のあるコマーシャルを入れることもあり、この場合、SFNは不可能である。
【０００４】
地域によってチャンネルプランが異なるという環境で、移動体搭載の受信装置を考えた場合、出発前にチャンネル選択を行って或る番組の視聴を開始した後、移動によって該チャンネルの受信状態が悪化しても、他のチャンネルを選択し直せば同番組の視聴を継続できる可能性がある。
【０００５】
また、従来の受信装置として、特許文献１に記載されているように、選択チャンネルの受信状態を監視して、基準値を満足しなくなった時点で、別の受信チャンネルを選択するものが存在する。
【特許文献１】特開２００２−９４４０２号公報
【発明の開示】
【発明が解決しようとする課題】
【０００６】
しかしながら、上記従来の受信装置においては、ユーザが選択したチャンネルと、基準値を満足しなくなって変更された後のチャンネルとの間とで、番組に関する相関が考慮されていないため、同じ番組を引き続き視聴するには、同番組を放送中の別チャンネルを探す手間が発生しうるという課題があった。
【０００７】
上記課題に鑑み、本発明は、地上波放送の受信装置において、選択チャンネルの受信状態が悪化した場合に、同番組を放送する他チャンネルを探すユーザの手間を省く地上波放送の送受信方法を提供することを目的とする。
【課題を解決するための手段】
【０００８】
この課題を解決するために本発明は、地上波放送の送信装置において、自チャンネルで放送中の番組と同じ番組を放送する隣接地域のチャンネル情報を生成し、映像や音声等の番組データに前記チャンネル情報を加えて放送し、地上波放送の受信装置において、選択チャンネルの受信状態を監視して、基準値を満足しなくなった時点で、上記チャンネル情報に記されたチャンネルの受信状態も調査し、受信状態の良好なチャンネルに選局し直す。
【発明の効果】
【０００９】
本発明の地上波放送の送受信装置は、受信状態が悪化した場合に、同じ番組を放送する隣接地域のチャンネル情報をもとに、受信状態が良好且つ同番組を放送するチャンネルを見つけて再選局を行うので、同番組を探すユーザの手間を省く事ができる。
【発明を実施するための最良の形態】
【００１０】
本発明の第１の発明は、デジタル放送を送信する地上波放送の送受信システムであって、放送中の番組と同じ番組を放送する隣接地域のチャンネル情報を生成する隣接地域同番組チャンネル情報生成手段と、放送する映像や音声等の番組データに前記チャンネル情報を加えたデジタル放送ストリームを生成し、RF信号化して出力するデジタル放送送信手段と、を備えたデジタル放送送信装置と、RF信号に含まれる複数チャンネルから任意のチャンネルを選択してデジタル放送ストリームを得るフロントエンド手段と、前記デジタル放送ストリームから現在視聴中の番組と同じ番組を放送する隣接地域のチャンネル情報を抽出する隣接地域同番組チャンネル情報抽出手段と、前記フロントエンド手段から該時点で受信選択中のチャンネルの受信状態情報を獲得する受信状態検出手段と、前記受信状態検出手段が獲得する受信状態情報と前記隣接地域同番組チャンネル情報抽出手段が抽出する前記チャンネル情報を用いて前記フロントエンド手段が受信するチャンネルの選局制御を行うチャンネル制御手段とを有し、前記チャンネル制御手段が、内部生成及び／又は外部入力される信号をトリガに、前記チャンネル情報を用いて、同番組の受信を継続するための制御を行うデジタル放送受信装置と、を備えたことを特徴とするデジタル放送の送受信システムであって、デジタル放送の送信側から受信側に同番組を放送する隣接地域のチャンネル情報が伝送されるので、受信側で同番組を受信し続けるための制御が可能となる。
【００１１】
また、本発明の第２の発明は、第１の発明における受信装置の発明であり、チャンネル制御手段が、チャンネル情報に記された全ての他チャンネルについて、フロントエンド手段に対して選局を行った上で受信状態検出手段から受信状態情報を獲得し、トリガ発生時点で受信していたチャンネル（以下、現チャンネルと呼ぶ）を含む最も受信状態の良いチャンネルを選局することを特徴とする地上波放送の受信装置であり、同番組を放送するチャンネルの内、最も受信状態の良いチャンネルを選局するので、同番組を探すユーザの手間を省く事ができる。
【００１２】
また、本発明の第３の発明は、第１の発明における受信装置の発明であり、チャンネル制御手段が、チャンネル情報に記された全ての他チャンネルについて、フロントエンド手段に対して選局を行った上で受信状態検出手段から受信状態情報を獲得し、最も受信状態の良いチャンネルと現チャンネルの受信状態の差が所定値以上の場合のみ、前記最も受信状態の良いチャンネルを選局し、所定値未満の場合は、現チャンネルの選局に留めることを特徴とする地上波放送の受信装置であり、同番組を放送するチャンネルの内、受信状態の良いチャンネルを選局するので、同番組を探すユーザの手間を省く事ができる他、所定値以上の改善が見込めない場合は、現チャンネルのままとするので、同番組を放送するチャンネル間に存在する番組進行のズレからくるユーザへの不快感の発生を防止することができる。
【００１３】
また、本発明の第４の発明は、第１の発明における受信装置の発明であり、チャンネル制御手段が、チャンネル情報に記された全ての他チャンネルについて、フロントエンド手段に対して選局を行った上で受信状態検出手段から受信状態情報を獲得し、現チャンネルの情報も含めて、得た結果をユーザに表示し、ユーザにチャンネル選択させることを特徴とする地上波放送の受信装置であり、ユーザに選択させることにより、ユーザが該時点以降に移動する地域等、ユーザの都合を踏まえたチャンネル選択が可能となる。
【００１４】
また、本発明の第５の発明は、第２又は第３又は第４の発明において、チャンネル制御手段が、少なくともユーザの要望をトリガにして、同番組の受信を継続するための制御を行うことを特徴とする地上波放送の受信装置であり、ユーザが意識してトリガを掛けるので、チャンネル変更についてユーザが意外に感じる事がない。
【００１５】
また、本発明の第６の発明は、第２又は第３又は第４の発明において、チャンネル制御手段が、少なくとも、選択中のチャンネルが基準値を満足しなくなった状態を検知した事をトリガにして、同番組の受信を継続するための制御を行うことを特徴とする地上波放送の受信装置であり、トリガが受信装置内部で自動で生成されるので、ユーザが操作できない状態であっても、処理が可能である。
【００１６】
また、本発明の第７の発明は、第６の発明において、チャンネル制御手段が、選択中のチャンネルが基準値を満足しなくなった状態を検知した事をトリガにしてチャンネルを選局した直後の一定期間は受信状態検出手段が獲得する受信状態を使用しないようにすることを特徴とする地上波放送の受信装置であり、前記トリガが発生した後の一定期間は受信状態に関係なく前記トリガが発生しなくなるので、例えば、最良の受信状態となるチャンネルを選択しても受信状態が前記基準値相当に留まってしまう環境下において、前記トリガから発生するユーザへの操作作業の頻発やチャンネル変更の頻発を軽減することができる。
【００１７】
また、本発明の第８の発明は、第１の発明における受信装置の発明であり、チャンネル制御手段が、該時点でユーザが視聴中なのか非視聴中なのかを判別し、使用するトリガや同番組の受信を継続するためのチャンネル選択の方法を切り替えることを特徴とする地上波放送の受信装置であり、これにより、ユーザが選択操作しない可能性のある非視聴時は、トリガを内部生成に、チャンネル選択も内部処理に切り替えることで、受信側で同番組を受信し続けるための制御が可能となり、番組録画等に有効である。
【００１８】
また、本発明の第９の発明は、第１の発明における送信装置の発明であり、隣接地域同番組チャンネル情報生成手段が、或る番組が終了して次の番組が始まるまでの間、次の番組に対する隣接地域のチャンネル情報を生成する事を特徴とする地上波放送の送信装置であり、前番組と次番組の狭間で受信状態が悪くなった場合に、次番組を放送予定の別チャンネルを探すユーザの手間を省く事ができる。
【００１９】
以下、本発明の実施の形態について図面を用いて説明する。
【００２０】
（実施の形態１）
図１に本発明の実施の形態１の地上波放送の送受信装置、送受信方法を実現するシステムの構成例を示す。
【００２１】
図１において、１０１は放送局の数だけ存在するデジタル放送送信装置、１０３は自放送局で放送中の番組と同じ番組を放送する隣接地域のチャンネル情報を生成する隣接地域同番組チャンネル情報生成手段、１０４は放送する映像や音声等の番組データに隣接地域同番組チャンネル情報生成手段１０３が生成する前記チャンネル情報を加えてデジタル放送ストリームを生成しRF信号化して出力するデジタル放送送信手段、１０２はデジタル放送受信装置、１はアンテナ、１０５は前記RF信号に含まれる複数チャンネルから任意のチャンネルを選択してデジタル放送ストリームを得るフロントエンド手段、１０６は前記デジタル放送ストリームから前記チャンネル情報を抽出する隣接地域同番組チャンネル情報抽出手段、１０７はフロントエンド手段１０５から該時点で受信選択中のチャンネルの受信状態情報を獲得する受信状態検出手段、１０８は同番組サーチ指示端子１０９から得られるタイミングをトリガに、前記受信状態検出手段１０７が獲得する受信状態情報と隣接地域同番組チャンネル情報抽出手段１０６が抽出するチャンネル情報を用いてチャンネルの制御を行うチャンネル制御手段、１０９はユーザからの同番組サーチの要望をチャンネル制御手段１０８に知らせる同番組サーチ指示端子である。
【００２２】
以下、図面を用いて本実施の形態の動作を説明する。
【００２３】
まず、隣接地域同番組チャンネル情報生成手段１０３は、自放送局で放送中の番組と同じ番組を放送する隣接地域のチャンネル情報を生成する。
【００２４】
説明のための一例として、或る時間における各放送局のサービスエリアと番組、チャンネルの関係を示す模式図を図２に示す。
【００２５】
図２に示される各楕円は、放送局毎のサービスエリアを示す。サービスエリア２０１は、自放送局のサービスエリアであり、チャンネル番号は２５、放送中の番組は番組AAAである。サービスエリア２０２は、自放送局にとっては、非隣接放送局のサービスエリアであり、チャンネル番号は４５、放送中の番組は自放送局と同じ番組AAAである。サービスエリア２０３は隣接放送局のサービスエリアであり、チャンネル番号は４０、放送中の番組は自放送局と異なる番組BBBである。サービスエリア２０４は隣接放送局のサービスエリアであり、チャンネル番号は３５、放送中の番組は自放送局と同じ番組AAAである。サービスエリア２０５は隣接放送局のサービスエリアであり、チャンネル番号は３０、放送中の番組は自放送局と同じ番組AAAである。
【００２６】
図２の例の場合、その時点で隣接地域同番組チャンネル情報生成手段１０３が生成する隣接地域のチャンネル情報は、３０と３５の２つのみとなる。
【００２７】
図１において、デジタル放送送信手段１０４は、放送する映像や音声等の番組データに隣接地域同番組チャンネル情報生成手段１０３が生成するチャンネル情報を加え、デジタル放送ストリームとして例えばトランスポートストリームに変換し、RF信号化して出力する。
【００２８】
上記チャンネル情報の記述場所として、日本の地上波デジタル放送の場合であれば、前記デジタルストリームにはEIT（Event Information table）が含まれており、ここでは、例としてこのEITを用いる事とする。EITは１つ以上の記述子から構成され、番組毎に番組の名称、放送日時、内容の説明等の情報を記述することができる。このEITの記述子の１つに拡張形式イベント記述子が存在する。前記拡張形式イベント記述子のデータ構造は、日本のデジタル放送の規格化団体である電波産業会の規格書『ARIB STD-B10』で規定されている。ここでは、例として、この前記拡張形式イベント記述子を用いる事とし、その構成要素であるitem_descriptor_charとitem_charに隣接地域のチャンネル情報を記述することとする。具体的には、例えば、item_descriptor_charには"隣接地域同番組チャンネル情報"を記述し、item_charには、図２の例の場合であれば、"30,35"と記述する。また、隣接地域に同番組を放送する放送局が存在しない状態の場合は、item_charの中身を無くすか、又は、item_descriptor_charに"隣接地域同番組チャンネル情報"を記述するのをやめればよい。また、番組と番組の狭間の期間に多重するチャンネル情報については、例えば番組Aの後に番組Bが放送される場合、番組Aと番組Bの狭間の期間は、例えば、番組Bについてのチャンネル情報を多重する。
【００２９】
アンテナ１は、複数チャンネルのデジタル放送を含むRF信号を受信し、フロントエンド手段１０５はアンテナ１が受信した複数チャンネルのRF信号から指定のチャンネルを選択してOFDM復調等を行ってデジタル放送ストリームを得る。
【００３０】
そして、隣接地域同番組チャンネル情報抽出手段１０６は、前記デジタル放送ストリームに含まれるEIT中の拡張形式イベント記述子を解析して、視聴中の番組に対する前記チャンネル情報を抽出してチャンネル制御手段１０８に出力する。図２の例の場合であれば、３０と３５の２つのチャンネル番号をチャンネル制御手段１０８に出力する。
【００３１】
チャンネル制御手段１０８は、隣接地域同番組チャンネル情報抽出手段１０６から受け取った前記チャンネル情報から、現受信中のチャンネルの番組と同番組を放送する隣接地域のチャンネルの番号を知る。
【００３２】
受信状態検出手段１０７は、チャンネル制御手段１０８からの要望に応じて、フロントエンド手段１０５から受信状態として、例えば、自動利得（以下、AGCと呼ぶ）情報を獲得してチャンネル制御手段１０８に出力する。
【００３３】
次に、同番組サーチ指示端子１０９からサーチ指示を受け取った場合、チャンネル制御手段１０８は、前記チャンネル情報として、同番組を放送する隣接地域のチャンネルが存在する場合はチャンネル制御を行うが、同番組を放送する隣接地域のチャンネルが存在しないか又は該時点で知らない場合は、サーチ指示を無視する。前記チャンネル制御の動作例となるフロー図を図３に示す。
【００３４】
図３に示されるように、S301では、同番組サーチ指示端子１０９からのサーチ指示を受け取り、S302に進む。
【００３５】
S302では、現チャンネルの受信状態を知るべく、受信状態検出手段１０７に問い合わせを行って受信状態を獲得し、S303に進む。
【００３６】
S303では、チャンネル情報から得る隣接地域のチャンネル番号の更新を不可として、S304に進む。
【００３７】
S304では、前記チャンネル情報に記された全ての他チャンネルについて、各々、フロントエンド手段１０５に選局を行った後、受信状態検出手段１０７を通じて受信状態を獲得し、S305に進む。
【００３８】
S305では、獲得した受信状態の内、最も受信状態の良好なチャンネル番号にフロントエンド手段１０５を設定し、S306に進む。
【００３９】
S306では、チャンネル変更による受信が安定するのに必要な時間経過した後に、チャンネル情報から得る隣接地域のチャンネル番号の更新を許可し、S307に進む。
【００４０】
S307では、同番組サーチ指示端子１０９からのサーチ指示に対する処理を終了する。
【００４１】
以上のことにより、ユーザは、ボタン押下等で同番組サーチ指示端子１０９を通じてトリガを発するだけで、同番組を放送中の最も受信状態の良いチャンネルを受信する事ができ、同番組を探すユーザの手間を省く事ができる。
【００４２】
なお、実施例１では、受信状態検出手段１０７がフロントエンド手段１０５から受信状態としてAGC情報を獲得するとしたが、AGC情報に限定されるものではなく、受信状態が判る情報でありさえすればよい。
【００４３】
また、同番組サーチを行うトリガとして、同番組サーチ指示端子１０９を用いた場合を示したが、チャンネル制御手段１０８が受信状態検出手段１０７を通じて定期的に受信中チャンネルの受信状態を獲得して、一定の基準値を満足しなくなった状態を検知した事をトリガとしても良い。この場合、同番組サーチ指示端子１０９は不要となる他、図３におけるS302も不要となる。また、前記一定の基準値を満足しなくなった状態を検知して同番組サーチをした直後、チャンネル制御手段１０９は一定期間、受信状態検出手段１０７に対して問い合わせを実施しないようにしても良い。
【００４４】
また、同番組サーチを行うトリガとして、同番組サーチ指示端子１０９を用いたトリガと、チャンネル制御手段１０８が受信状態検出手段１０７を通じて定期的に受信中チャンネルの受信状態を獲得して、一定の基準値を満足しなくなった状態の検知によるトリガの両方を用いても良い。
【００４５】
また、チャンネル制御手段１０８は、受信状態検出手段１０７を通じて受信状態を獲得した後、最も受信状態の良好なチャンネル番号にチューナを設定するとしたが、同番組を放送中のチャンネルの受信状態を調査した結果をユーザに表示し、チャンネル選択させるようにしても良い。
【００４６】
また、該時点でユーザが視聴中なのか否かを判別し、非視聴中（例えば視聴してないが録画中の状態）の期間は、同番組サーチ指示端子１０９を使用せず、一定の基準値を満足しなくなった状態の検知によるトリガを使用し、チャンネル選択については、最も受信状態の良好なチャンネル番号にチューナを自動設定させようにしても良い。視聴中と非視聴中の判別は、例えば、受信したデジタル放送を表示するディスプレイデバイスへの印加の有無と連動させ、印加中は視聴中と判断し、非印加中は非視聴中と判断すればよい。
【００４７】
また、隣接地域同番組チャンネル情報抽出手段１０６は、チャンネル情報をチャンネル制御手段１０８に出力するとしたが、これに限定されるものではなく、チャンネル情報をユーザに画面表示等で知らせて任意にチャンネルを選局させるようにしても良い。
【実施例１】
【００４８】
図４に実施例２の地上波放送の送受信方法を実現するシステムの構成例を示す。
【００４９】
本発明の実施例２の地上波放送の送受信方法において、実施例１と実施例２の違いは、チャンネル制御手段１０８が適応チャンネル制御手段４０１に置き換わったことと、同番組サーチ指示端子１０９を用いていない点であり、他の構成及び動作は実施例１と同一なので、ここでは、チャンネル制御手段４０１についてのみ説明する。
【００５０】
適応チャンネル制御手段４０１は、隣接地域同番組チャンネル情報抽出手段１０６から受け取ったチャンネル情報から、現受信中のチャンネルの番組と同番組を放送する隣接地域のチャンネルの番号を知る。そして、同番組を放送する隣接地域のチャンネルが存在する場合は、受信状態検出手段１０７を通じて定期的に受信中チャンネルの受信状態を獲得して、一定の基準値を満足しなくなった状態を検知した事をトリガにして、チャンネル制御の処理を行う。但し、チャンネル制御を行った直後の一定期間は、受信状態検出手段１０７を通じて定期的に受信中チャンネルの受信状態を獲得する作業をしないようにする。チャンネル制御の動作例となるフロー図を図５に示す。
【００５１】
図５に示すように、S501では、受信状態検出手段１０７を通じて定期的に受信中チャンネルの受信状態を獲得して、一定の基準値を満足しなくなった状態を検知した事を受けて、S502に進む。
【００５２】
S502では、チャンネル情報から得る隣接地域のチャンネル番号の更新を不可として、S503に進む。
【００５３】
S503では、前記チャンネル情報に記された全ての他チャンネルについて、各々、フロントエンド手段１０５に選局を行った後、受信状態検出手段１０７を通じて受信状態を獲得し、S504に進む。
【００５４】
S504では、獲得した受信状態の内、最も受信状態の良好なチャンネルが、前記トリガ発生時点で受信していたチャンネル（以下、現チャンネルと呼ぶ）かどうかを調べ、同一の場合はS506に進み、異なる場合はS505に進む。
【００５５】
S505では、最も受信状態の良好なチャンネルと現チャンネルの受信状態の差が所定値未満かどうかを調べ、所定値未満の場合はS506に進み、所定値以上の場合はS507に進む。
【００５６】
S506では、現チャンネル番号を受信するようフロントエンド手段１０５に設定を行い、S508に進む。
【００５７】
S507では、最も受信状態の良好なチャンネル番号を受信するようフロントエンド手段１０５に設定を行い、S508に進む。
【００５８】
S508では、チャンネル変更による受信が安定するのに必要な時間経過した後に、チャンネル情報から得る隣接地域のチャンネル番号の更新を許可し、S509に進む。
【００５９】
S509では、処理を終了する。
【００６０】
以上のことにより、現チャンネルの受信状態が悪化しても、同番組を放送中のチャンネルの受信状況に大差が無ければ、引き続き現チャンネルを受信することができ、同番組を放送するチャンネル間に存在する番組進行のズレからくるユーザへの不快感の発生を防止することができる。
【００６１】
なお、実施例２では、適応チャンネル制御手段４０１は、受信状態検出手段１０７を通じて定期的に受信中チャンネルの受信状態を獲得して、一定の基準値を満足しなくなった状態を検知した事をトリガにして、チャンネル制御の処理を行うが、前記チャンネル制御を行った直後の一定期間は、受信状態検出手段１０７を通じて定期的に受信中チャンネルの受信状態を獲得する作業をしないようにするとしたが、前記チャンネル制御を行った直後から受信状態検出手段１０７を通じて定期的に受信中チャンネルの受信状態を獲得する作業をしても良い。
【００６２】
また、チャンネル制御を行うトリガとして、適応チャンネル制御手段４０１が、受信状態検出手段１０７を通じて定期的に受信中チャンネルの受信状態を獲得して、一定の基準値を満足しなくなった状態を検知した事としたが、実施例１と同様、同番組サーチ指示端子１０９を設け、同番組サーチ指示端子１０９からのサーチ指示をトリガとしても良いし、両方のトリガを用いても良い。同番組サーチ指示端子１０９からのサーチ指示をトリガとする場合、図５のS501とS502の間に現チャンネルの受信状態の獲得処理が必要となる。
【００６３】
また、適応チャンネル制御手段４０１は、該時点でユーザが視聴中なのか否かを判別し、非視聴中（例えば視聴してないが録画中の状態）の期間は、同番組サーチ指示端子１０９を使用せず、一定の基準値を満足しなくなった状態の検知によるトリガを使用するようにしても良い。視聴中と非視聴中の判別は、例えば、受信したデジタル放送を表示するディスプレイデバイスへの印加の有無と連動させ、印加中は視聴中と判断し、非印加中は非視聴中と判断すればよい。
【産業上の利用可能性】
【００６４】
本発明にかかる地上波放送の送受信装置および送受信方法は、受信状態が悪化した場合に、同じ番組を放送する隣接地域のチャンネル情報をもとに、受信状態が良好且つ同番組を放送するチャンネルを見つけて再選局を行うので、同番組を探すユーザの手間を省く事ができ、デジタル放送を送受信する地上波放送の送受信装置および送受信方法等として有用である。
【図面の簡単な説明】
【００６５】
【図１】本発明の実施例１の地上波デジタル放送に係る送受信装置、送受信方法を実現するシステムの構成例を示す図
【図２】本発明の実施例１の或る時間における各放送局のサービスエリアと番組、チャンネルの関係を示す模式図
【図３】本発明の実施例１の同番組サーチ指示端子１０９からサーチ指示を受け取った場合のチャンネル制御手段１０８の動作例となるフローチャート
【図４】本発明の実施例２の地上波放送に係る送受信装置、送受信方法を実現するシステムの構成例を示す図
【図５】本発明の実施例２の、一定の基準値を満足しなくなった状態を検知した事をトリガにして行うチャンネル制御手段１０８の動作例となるフローチャート
【符号の説明】
【００６６】
１０１    デジタル放送送信装置
１０２    デジタル放送受信装置
１０３    隣接地域同番組チャンネル情報生成手段
１０４    デジタル放送送信手段
１０５    フロントエンド手段
１０６    隣接地域同番組チャンネル情報抽出手段
１０７    受信状態検出手段
１０８    チャンネル制御手段
１０９    同番組サーチ指示端子
【図１】
2005204121.tif 000003
【図２】
2005204121.tif 000004
【図３】
2005204121.tif 000005
【図４】
2005204121.tif 000006
【図５】
2005204121.tif 000007